(57)【要約】【課題】動画像データを入力し、静止画像データに変換して印刷する場合、少ないキャプチャメモリで処理することができる画像処理装置及びその制御方法を提供することを目的とする。【解決手段】動画像データを入力し、静止画像データに変換して印刷する画像処理装置において、動画像データから、印刷するシーンを選択し、前記選択された印刷シーンの最初の１コマから、最後の１コマまでの間で、移動体を検出し、前記移動体の動き始めの画像データと動き終わりの画像データとに基づいて、前記移動体の移動画像データを作成し、前記移動画像データを、前記印刷シーンの最後の１コマに重ね合わせて、１枚の静止画像データを作成する。【選択図】図１
2008177993.tif 000002
【特許請求の範囲】
【請求項１】
動画像データを入力し、静止画像データに変換して印刷する画像処理装置において、
動画像データから、印刷するシーンを選択する印刷シーン選択手段と；
前記選択された印刷シーンの最初の１コマから、最後の１コマまでの間で、移動体を検出する移動体検出手段と；
前記移動体の動き始めの画像データと動き終わりの画像データとに基づいて、前記移動体の移動画像データを作成する移動画像データ作成手段と；
前記移動画像データを、前記印刷シーンの最後の１コマに重ね合わせて、１枚の静止画像データを作成する静止画像データ作成手段と；
を有することを特徴とする画像処理装置。
【請求項２】
請求項１において、
前記移動体検出手段は、前記移動体が複数存在する場合、最も長い距離を移動した移動体を検出する手段であり、
前記静止画像データ作成手段は、前記移動体検出手段が検出した前記最も長い距離を移動した移動体を、前記印刷シーンの最後の１コマに重ね合わせて、静止画像データを作成する手段であることを特徴とする画像処理装置。
【請求項３】
請求項１において、
前記移動画像データ作成手段は、抽出した前記移動体の動き始めの画像データと動き終わりの画像データとの輪郭を抽出し、各輪郭を線で結ぶことによって、前記移動画像データを作成する手段であることを特徴とする画像処理装置。
【請求項４】
請求項１において、
前記移動画像データ作成手段は、前記移動体の動き始めから動き終わりまでの間のコマを、予め定めた数のコマだけ、前記印刷シーンの動画像データから抽出し、抽出された各コマの移動体輪郭を線で結ぶことによって、前記移動画像データを作成する手段であることを特徴とする画像処理装置。
【請求項５】
請求項４において、
前記移動画像データ作成手段は、前記移動体の動き始めから動き終わりまでの間で抽出した各コマを、画像処理に使う場合、各コマ間の移動距離に応じて、輪郭を結ぶ線の濃度を変化させることによって、前記移動画像データを作成する手段であることを特徴とする画像処理装置。
【請求項６】
請求項１において、
動画像データから、印刷シーンを選択する場合、動画像データを再生し、印刷するシーンを選ぶための表示手段を有することを特徴とする画像処理装置。
【請求項７】
請求項６において、
前記画像処理において作成した前記静止画像データは、前記表示手段に表示し、確認された後に印刷される静止画像データであることを特徴とする画像処理装置。
【請求項８】
動画像データから、印刷するシーンを選択し、前記印刷シーン内で、移動体の動き始めの画像データと動き終わりの画像データとに基づいて、前記移動体の移動画像データを作成し、前記移動画像データを、前記印刷シーンの最後の１コマに重ね合わせることによって、１枚の静止画像データを作成し、印刷する画像処理装置において、
前記移動体を、前記印刷シーンから選択する手段を有することを特徴とする画像処理装置。
【請求項９】
請求項８において、
前記画像処理装置は、読取手段を有する手段であり、
前記印刷シーンの最後の１コマを印刷し、その印刷データ上にある特定のマークをユーザが記入し、この記入されたマークを、前記読取手段がスキャンし、前記マークを認識し、前記マークした移動体を検出することによって、前記移動体から、移動画像データを作成することを特徴とする画像処理装置。
【請求項１０】
請求項８において、
画面表示内においてタッチした位置を検出するタッチパネル表示手段を有し、
前記印刷シーンの最後の１コマを、前記タッチパネル表示手段に表示し、
前記タッチパネル表示手段を介して、ユーザがタッチした移動体に基づいて、移動体の移動画像データを作成することを特徴とする画像処理装置。
【請求項１１】
請求項８において、
前記移動体の移動画像データを作成する場合、動き始めの画像データと動き終わりの画像データとに基づいて、移動体の輪郭を抽出し、各輪郭を線で結ぶことによって、前記移動画像を作成することを特徴とする画像処理装置。
【請求項１２】
請求項８において、
前記移動体の動き始めから動き終わりまでの間のコマのうちで、予め定めた数のコマだけ、前記印刷シーンの動画像データを抽出し、この抽出された各コマの移動体輪郭を線で結ぶことによって、前記移動画像データを作成することを特徴とする画像処理装置。
【請求項１３】
請求項１２において、
前記移動体の動き始めから動き終わりまでの間のコマを画像処理に使う場合、各コマの移動距離に応じて、輪郭を結ぶ線の濃度を変化させることによって、前記移動画像データを作成することを特徴とする画像処理装置。
【請求項１４】
請求項８において、
動画像データから印刷シーンを選択する場合、動画像データを前記タッチパネル表示手段に再生し、前記印刷シーンを選ぶことを特徴とする画像処理装置。
【請求項１５】
請求項１４において、
前記画像処理において作成した前記静止画像データは、前記タッチパネル表示手段に表示し、確認した後に、印刷する静止画像データであることを特徴とする画像処理装置。
【請求項１６】
動画像データを入力し、静止画像データに変換して印刷する画像処理装置の制御方法において、
動画像データから、印刷するシーンを選択し、記憶装置に記憶する印刷シーン選択工程と；
前記選択された印刷シーンの最初の１コマから、最後の１コマまでの間で、移動体を検出し、記憶装置に記憶する移動体検出工程と；
前記移動体の動き始めの画像データと動き終わりの画像データとに基づいて、前記移動体の移動画像データを作成し、記憶装置に記憶する移動画像データ作成工程と；
前記移動画像データを、前記印刷シーンの最後の１コマに重ね合わせて、１枚の静止画像データを作成し、記憶装置に記憶する静止画像データ作成工程と；
を有することを特徴とする画像処理装置の制御方法。
【発明の詳細な説明】
【技術分野】
【０００１】
本発明は、動画像データを静止画像データに変換し、印刷するスキャナ機能、プリンタ機能、コピー機能等を有する画像処理装置に関する。
【背景技術】
【０００２】
従来、動画像データを印刷する場合、印刷したい場面を、動画像データから選択し、それを印刷する。また、印刷するシーンを選択するときに取り込みを指示した動画の前後の複数動画をビデオプリンタのメモリに取り込み、プリントしたい動画を確実に取り込む発明が知られている（たとえば、特許文献１参照）。
【０００３】
また、時間の経過に従って少しずつ被写体の動きが変化する動画像データを印刷する場合、その画像を重ねたように合成し、この合成した画像データを印刷することによって、動作の軌跡を把握し易い画像データを得る。
【０００４】
また、時系列に従う一連の画像データを、画像圧縮し、複数の画像データを同じ印字領域に重ねた状態（画像合成した状態）で、１枚の紙に印刷する。これによって、被写体の動きがないか、または少ない部分が重なり合い、動きの大きい部分が重複なしに印刷する発明が知られている（たとえば、特許文献２参照）
【特許文献１】特開平７−４６５１８号公報
【特許文献２】特開２００１−３４６０８３号公報
【発明の開示】
【発明が解決しようとする課題】
【０００５】
しかし、特許文献２記載の発明では、被写体の動きの軌道は分かるものの、動きのスピード感を表現することが困難であるという問題がある。
【０００６】
また、時系列に従う一連の画像データに画像合成するために、画像データを保存するメモリが大容量になる場合があるという問題がある。
【０００７】
さらに、動画像データ内で、被写体だけでなく背景も動く場合、一連の画像データを合成したときに、画像全体が煩雑になり、被写体の動きが分かり難い画像が作られる場合があるという問題がある。
【０００８】
本発明は、動画像データを入力し、静止画像データに変換して印刷する場合、少ないキャプチャメモリで処理することができる画像処理装置及びその制御方法を提供することを目的とする。
【０００９】
また、本発明は、動画像データ内に他の移動体があっても、それを、出力する静止画像データに反映させない画像処理装置及びその制御方法を提供することを目的とする。
【００１０】
したがって、本発明は、移動対象が１点に絞られている比較的見やすい静止画像データを得ることができる画像処理装置及びその制御方法を提供することを目的とするものである。
【００１１】
さらに、本発明は、より滑らかな動きを表現することができる静止画像データを作り上げることができる画像処理装置及びその制御方法を提供することを目的とする。
【課題を解決するための手段】
【００１２】
本発明は、動画像データを入力し、静止画像データに変換して印刷する画像処理装置において、動画像データから、印刷するシーンを選択し、前記選択された印刷シーンの最初の１コマから、最後の１コマまでの間で、移動体を検出する。また、本発明は、前記移動体の動き始めの画像データと動き終わりの画像データとに基づいて、前記移動体の移動画像データを作成し、前記移動画像データを、前記印刷シーンの最後の１コマに重ね合わせて、１枚の静止画像データを作成する。
【発明の効果】
【００１３】
本発明によれば、動画像データを入力し、静止画像データに変換して印刷する場合、少ないキャプチャメモリで処理することができるという効果を奏する。
【００１４】
また、本発明によれば、動画像データ内に、動く画像が複数存在していても、１つの動画像データのみについて、その変化を印刷するので、静止画像が簡素であるという効果を奏する。
【発明を実施するための最良の形態】
【００１５】
発明を実施するための最良の形態は、次の実施例である。
【実施例１】
【００１６】
図１は、本発明の実施例１である画像処理装置１００の主要部の構成を示すブロック図である。
【００１７】
画像処理装置１００は、読取手段１と、画像処理手段２と、印字データ処理手段３と、印字手段４と、ＰＣインタフェース手段５と、パネル制御手段７と、パネル手段８と、表示手段９と、Ｉ／Ｆ１０、１２、１４とを有する。また、画像処理装置１００は、動画像再生手段１６と、ＣＰＵ１７と、ＲＡＭ制御手段１８と、ＲＡＭ１９と、ＲＯＭ２０とを有する。
【００１８】
画像処理装置１００は、ホストコンピュータ６と、デジタルビデオカメラ１１と、デジタルカメラ１３と、メモリカード１５とに接続される。
【００１９】
読取手段１は、コンタクトセンサ（ＣＩＳ）またはＣＣＤ等の光電素子によって、原稿を１ライン毎に読み取り、この読み取ったデータを色分解し、ＲＧＢのアナログ画像信号を得る。また、そのアナログ画像信号をデジタル信号へ変換する。
【００２０】
画像処理手段２は、読取手段１が出力した画像データに、入力マスキング処理、フィルタ処理、変倍処理、ｌｏｇ変換処理、マスキング処理、ガンマ処理、多値化処理の順で、画像処理する。多値化処理後に得られた多値化データは、ＲＡＭ制御手段１８を介して、ＲＡＭ１９内のデータバッファ１９ａに一時的に保存される。
【００２１】
印字データ処理手段３は、データバッファに保持されている多値化データを、１ライン毎に受け取り、この受け取った多値化データを、印字できるデータ形式（印字データ）に変換し、印字手段４に転送する。
【００２２】
印字手段４は、送られた印字データに応じて、所定のタイミングで、インクを吐出し、記録紙に記録する。
【００２３】
ＰＣインタフェース手段５は、画像処理装置１００に接続されているホストコンピュータ６にデータを送信するか、または、ホストコンピュータ６からデータを受信するためにデータ通信制御をする。たとえば、スキャナモード時に、読取手段１が、スキャンした画像データを、ホストコンピュータ６へ送信する。または、ＰＣプリンタモード時に、ホストコンピュータ６から送られた印字データ信号を、受信する。
【００２４】
パネル制御手段７は、パネル手段８、表示手段９を制御する。パネル手段８は、パワーキー、パワーＬＥＤ、選択キー、実行キー等のユーザＩ／Ｆとなる部分である。表示手段９は、画像データの表示が可能なカラー液晶である。
【００２５】
Ｉ／Ｆ１０、１２、１４は、動画像データを画像処理装置に取り込む。Ｉ／Ｆ１０は、デジタルビデオカメラ１１が出力した動画像データを取り込む専用Ｉ／Ｆ手段である。Ｉ／Ｆ１２は、デジタルカメラ１３から受信した動画像データを取り込むための専用Ｉ／Ｆ手段であり、Ｉ／Ｆ１４は、メモリカード１５が出力した動画像データを取り込むための専用Ｉ／Ｆ手段である。前記動画像データは、ＲＡＭ制御手段１８を介して、ＲＡＭ１９内のデータバッファ１９ａに一時的に保存される。
【００２６】
動画像再生手段１６は、データバッファ１９ａに保存されている動画像データを、パネル制御手段７を介して、表示手段９上で再生する。
【００２７】
マイクロコンピュータ形態のＣＰＵ１７は、処理手順を格納しているＲＯＭ２０の手順に従って、各部を制御する。また、ＣＰＵ１７は、読取手段１の制御や読取モータ、キャリッジモータ、紙送りモータ等の各種モータを駆動するためのモータ制御も行う。
【００２８】
ＲＡＭ１９内のデータバッファ１９ａは、一時的にデータを保存するメモリである。キャプチャメモリ１９ｂは、動画像データから、印刷したい場面を抽出するためのキャプチャメモリである。メモリ１９ｃは、本体システムのデータバッファとして使用するメモリである。
【００２９】
次に、動画像データを印刷する場合における画像処理装置１００内の各制御システムの動作について説明する。
【００３０】
図２は、画像処理装置１００における制御システムの一連の動作を示すフローチャートである。
【００３１】
まず、動画像データを画像処理装置１００に入力し、具体的には、デジタルカメラ１３から動画像データを入力する（Ｓ１）。デジタルカメラ１３から送信した動画像データは、ＤＳＣ＿Ｉ／Ｆ手段１２を介して、ＲＡＭ１９内のデータバッファ１９ａが受信し、一時的に保存する（Ｓ２）。
【００３２】
次に、この動画像データ内のどのシーンを印刷するかどうかを決めるが、先程受信した動画像データを表示手段９が再生し、表示し（Ｓ３）、パネル手段８の選択キーによって、印刷シーンの最初の１コマと最後の１コマとを、ユーザが選ぶ（Ｓ４）。ここで選択した印刷シーンの最初の１コマと最後の１コマとを、キャプチャメモリ１９ｂに保存する（Ｓ５）。
【００３３】
次に、選択された印刷シーン内で動いている移動体を抽出する（Ｓ６）。被写体とその背景のいくつかとを、移動体として抽出する。まず、ｎ個、たとえば、３つの移動体を、抽出する。この選ばれた３つの移動体が、印刷シーン内で、どの程度、動いているかを調べるために、各移動距離を求める。この求められた移動距離のうちで、移動距離の最も長い移動体を、移動画像の対象とする（Ｓ７）。
【００３４】
次に、選択した移動体の移動画像を作成するために、キャプチャメモリ１９ｂに保存されている２つのコマに存在している移動体の画像データを抽出する（Ｓ８）。
【００３５】
印刷シーンの最初の１コマに存在している移動体の画像データを、画像データＡとし、最後の１コマに存在している移動体の画像データを、画像データＢとする。まず、画像データＡの輪郭を検出し、次に、画像データＡの輪郭の各部分と一致する部分を、画像データＢから抽出する。そして、画像データＡと画像データＢとを並べる。そして、その間の画像を、画像データＡ、Ｂの一致している部分同士を、直線で結ぶことによって、その線画像データを画像データＡ、Ｂの補間データとする。これらを合成して、移動体の「移動画像データ」が完成する（Ｓ９）。
【００３６】
つまり、前記「移動画像データ」は、抽出した前記移動体の動き始めの画像データと動き終わりの画像データとの輪郭を線で結んだ画像データである。
【００３７】
この移動画像データと印刷シーンの最後の１コマとを合成することによって、動画像データから選択した印刷シーンを、静止画像データに変換する作業が完了する（Ｓ１０）。
【００３８】
最後に、完成した静止画像データを、表示手段９に表示し（Ｓ１１）、そのデータが満足できるものであることを確認ですれば、それについて、パネル手段８上の印刷実行キーをユーザが押下し、印刷を開始する（Ｓ１２）。印刷完了で、全ての処理が終わる（Ｓ１３）。
【００３９】
前記実施例では、移動体の移動画像データを作成する場合、印刷シーンの始めと終わりとの２コマのみを使用するので、キャプチャメモリ１９ｂのメモリ容量は、２コマ分の容量で足りる。したがって、メモリ効率が良い。
【００４０】
次に、移動体の移動画像データを作成する場合、印刷シーンの始めと終わりとの２コマのみを使用するのではなく、ある一定の時間間隔で、コマを抽出する場合について、説明する。
【００４１】
たとえば、キャプチャした画像データを、ａ、ｂ、ｃ、……、ｚとし、画像データａとｂとの間で、移動体が動いた場合における移動画像データを求める場合、前記補間データを使い、前記と同様に、ｂ、ｃ間、ｃ、ｄ間、……ｙ、ｚ間で、処理する。そして、それらについて、全て補間データを合成することによって、ａからｚまでの移動画像データが完成する。
【００４２】
この場合、キャプチャメモリ１９ｂの必要な容量は、増加するが、完成した移動体の移動画像データは、動きの変化をより捉え、移動体の動きの軌跡をより把握できる画像データであると考えられる。そして、キャプチャする画像データのコマ数が多くなればなるほど、より正確に、移動体の動きを表現することができる。
【００４３】
さらに、キャプチャした画像データａ、ｂ、ｃ、……ｚのそれぞれの間における移動体の移動距離（速度）を求め、その距離（速度）に応じて、線画像データの濃度を変化させる。このようにすることによって、より一層、移動体の動くスピード感を、静止画像データで表現することができる。つまり、移動体の移動距離が長い（速度が速い）場合、薄い線画像データで、また、移動体の移動距離が短い（速度が遅い）場合、濃い線画像データで表現するので、速度と濃度との関係を、線形にすることによって、線画像をより滑らかに表現することができる。
【００４４】
つまり、実施例１によれば、次の効果を奏する。
【００４５】
（１）移動体の移動画像データを作成する場合、移動体の動き始めと動き終わりとの合計２コマの画像データに基づいて画像処理し、移動画像データを作成するので、少ないキャプチャメモリで処理することができる。
【００４６】
（２）移動画像処理する対象を、最も動きの大きい移動体のみに限定しているので、動画像データ内に、他に移動体が存在していても、それを、最後に出力する静止画像データに反映しない。したがって、移動対象が１点に絞られ、非常に見やすい静止画像データを手に入れることができる。
【実施例２】
【００４７】
本発明の実施例２である画像処理装置の構成は、実施例１である画像処理装置１００の構成と基本的には同様である。
【００４８】
実施例１は、印刷シーン内の最も移動距離が長い移動体を抽出し、移動画像データを作る。実施例２では、移動体を、ユーザが選択し、この選択された移動体に、移動画像データを作る実施例である。
【００４９】
図３は、本発明の実施例２における制御システムの一連の動作を示すフローチャートである。
【００５０】
実施例１は、印刷シーン内の最も移動距離が長い移動体を抽出し、移動画像データを作るが、実施例２の画像処理装置では、移動体をユーザが選択し、この選択された移動体に、移動画像データを作る実施例である。
【００５１】
まず、デジタルカメラ１３の動画像データを、実施例２の画像処理装置に入力する（Ｓ２１）。デジタルカメラ１３から送信した動画像データは、ＤＳＣ＿Ｉ／Ｆ手段１２を介して、ＲＡＭ１９内のデータバッファ１９ａが受信し、一時的に保存する（Ｓ２２）。
【００５２】
次に、この動画像データ内のどのシーンを印刷するかを決めるが、先程受信した動画像データを、再生し、表示手段９に表示し（Ｓ２３）、パネル手段８の選択キーによって、印刷シーンの最初の１コマと最後の１コマとを、ユーザが選ぶ（Ｓ２４）。
【００５３】
前記選択された印刷シーンの最初の１コマと最後の１コマとは、キャプチャメモリ１９ｂに保存される（Ｓ２５）。ここまでは、実施例１の動作と同じである。
【００５４】
次に、選択された印刷シーン内の最後の１コマを印刷する（Ｓ２６）。そして、印刷物に印刷されている移動体の中で、移動画像処理を行う移動体を、ユーザが指定し、この指定された移動体に、所定のマークを付す（Ｓ２７）。所定のマークは、たとえば、○印、☆印、または円で囲まれたマークである。
【００５５】
マークした印刷物を読取手段１がスキャンし（Ｓ２８）、所定マークが付されている移動体を、印刷物内から検出し、この検出された移動体を、移動画像処理の対象物として認識する（Ｓ２９）。ここまでの処理が、実施例２の特有の処理である。
【００５６】
次からの処理は、実施例１におけるＳ８以降の処理と同じである。つまり、選択した移動体の移動画像を作成するために、キャプチャメモリ１９ｂに保存されている２つのコマに存在している移動体の画像データを抽出する（Ｓ３０）。
【００５７】
印刷シーンの最初の１コマに存在している移動体の画像データをＡとし、最後の１コマに存在している移動体の画像データをＢとする。そして、まず、前記画像データＡの輪郭を検出し、次に、画像データＡの輪郭の各部分と一致する部分を、画像データＢから抽出する。画像データＡと画像データＢとを並べ、画像データＡ、Ｂの互いに一致している部分同士を直線で結ぶことによって、その線画像データを、画像データＡ、Ｂの補間データとする。これらを合成し、移動体の移動画像データが完成する（Ｓ３１）。
【００５８】
この移動画像データと印刷シーンの最後の１コマとを合成することによって、動画像データから選択した印刷シーンを、静止画像データに変換する作業が完了する（Ｓ３２）。
【００５９】
最後に、完成した静止画像データを、表示手段９に表示し（Ｓ３３）、そのデータが満足できるものであることを確認できれば、パネル手段８上の印刷実行キーを押下し、前記確認できた静止画像データの印刷を開始する（Ｓ３４）。印刷が完了すると、全ての処理が終わる（Ｓ３５）。
【００６０】
実施例２では、移動画像処理を行う移動体を、印刷−スキャンして指定する（印刷−スキャン方式）。この移動体の指定を、別の手段で実行するようにしてもよい。具体的には、表示手段９をタッチパネル式の液晶にし、印刷シーンの最後の１コマを表示手段９に表示し、移動画像処理を行う移動体を、画面上でユーザがタッチして指定する。この場合、表示手段９がタッチパネル式であり、コスト的には、通常使用している液晶に比べて高いが、前記印刷−スキャン方式に比べて、選択手順が非常に簡易である。
【００６１】
図４は、実施例２において、動画像データを静止画像データに変換する過程を具体的に示す図である。
【００６２】
図４（１−１）、図４（１−２）は、動画像データから、印刷したいシーンとして選択された最初の１コマと最後の１コマとを示す図である。
【００６３】
図４（２）は、印刷シーン内に存在しているいくつかの移動体（“車”、“木”）のそれぞれの移動距離を示す図である。この例の場合、“車”よりも“木”の移動距離が長いので、移動画像処理の対象は“木”である。
【００６４】
図４（３）は、“木”に移動画像処理を行い、移動画像データ作成し、この作成されたい動画像データに、印刷シーンの最後の１コマを合成した静止画像を示す図である。
【００６５】
図５は、実施例２において、動画像データが静止画像データに変換される過程で、印刷シーンを、ある一定間隔で抽出し、この抽出された印刷シーンのそれぞれに、移動画像処理を実行する具体例の説明図である。
【００６６】
図５（１−１）、（１−２）、（１−３）、（１−４）、（１−５）、（１−６）は、動画像データから、印刷したいシーンを、ある一定間隔で抽出した画像データを示し、最初の１コマと最後の１コマとを含む６コマの画像データを示す図である。
【００６７】
図５（２）は、印刷シーン内の移動体（“車”）の移動距離を示す図である。この例は、背景（“木”）が固定され、“車”が移動しているシーンであるので、“車”の移動距離が長い。よって、移動画像処理の対象は、“車”である。
【００６８】
図５（３）は、各画像データにおいて、“車”に移動画像処理をし、また、“車”の速度に応じて、移動画像データの濃度を変化させるように処理し、各コマ間の移動画像データを接続したものを、印刷シーンの移動画像データとする。この移動画像データと、印刷シーンの最後の１コマとを合成したデータを、最終の静止画像データとする。
【００６９】
実施例２によれば、次の効果を奏する。
【００７０】
（１）移動画像データを作るときに参照する動画像データのコマ数を多くするので、より滑らかな動きを表現する静止画像データを作り上げることができる。
【００７１】
（２）移動画像処理する移動体を、印刷シーンを介してユーザが指定し、静止画像データを作ることができる。
【００７２】
つまり、パネル手段８は、動画像データから、印刷するシーンを選択する印刷シーン選択手段の例である。画像処理手段２は、前記選択された印刷シーンの最初の１コマから、最後の１コマまでの間で、移動体を検出する移動体検出手段の例である。画像処理手段２は、前記移動体の動き始めの画像データと動き終わりの画像データとに基づいて、前記移動体の移動画像データを作成する移動画像データ作成手段の例である。また、画像処理手段２は、前記移動画像データを、前記印刷シーンの最後の１コマに重ね合わせて、１枚の静止画像データを作成する静止画像データ作成手段の例である。
【００７３】
この場合、前記移動体検出手段は、前記移動体が複数存在する場合、最も長い距離を移動した移動体を検出する手段である。また、前記静止画像データ作成手段は、前記移動体検出手段が検出した前記最も長い距離を移動した移動体を、前記印刷シーンの最後の１コマに重ね合わせて、静止画像データを作成する手段である。
【００７４】
また、前記移動画像データ作成手段は、抽出した前記移動体の動き始めの画像データと動き終わりの画像データとの輪郭を抽出し、各輪郭を線で結ぶことによって、前記移動画像データを作成する手段である。
【００７５】
さらに、前記移動画像データ作成手段は、前記移動体の動き始めから動き終わりまでの間のコマを、予め定めた数のコマだけ、前記印刷シーンの動画像データから抽出し、抽出された各コマの移動体輪郭を線で結ぶ手段の例である。これによって、前記移動画像データを作成する。
【００７６】
そして、前記移動画像データ作成手段は、前記移動体の動き始めから動き終わりまでの間で抽出した各コマを、画像処理に使う場合、各コマ間の移動距離に応じて、輪郭を結ぶ線の濃度を変化させることによって、前記移動画像データを作成する手段である。
【００７７】
しかも、動画像データから、印刷シーンを選択する場合、動画像データを再生し、印刷するシーンを選ぶための表示手段を有する。
【００７８】
また、前記画像処理において作成した前記静止画像データは、前記表示手段に表示し、確認された後に印刷される静止画像データである。
【００７９】
さらに、前記実施例を方法の発明として把握することができる。すなわち、前記実施例は、動画像データから、印刷するシーンを選択し、記憶装置に記憶する印刷シーン選択工程を実現する例である。また、前記実施例は、前記選択された印刷シーンの最初の１コマから、最後の１コマまでの間で、移動体を検出し、記憶装置に記憶する移動体検出工程を実現する例である。しかも、前記実施例は、前記移動体の動き始めの画像データと動き終わりの画像データとに基づいて、前記移動体の移動画像データを作成し、記憶装置に記憶する移動画像データ作成工程を実現する例である。そして、前記実施例は、前記移動画像データを、前記印刷シーンの最後の１コマに重ね合わせて、１枚の静止画像データを作成し、記憶装置に記憶する静止画像データ作成工程を実現する例である。
【００８０】
そして、前記実施例は、印刷シーンの最後の１コマを印刷し、印刷データ上にある特定のマークをユーザが記入し、このマークを読取手段がスキャンしてマークを認識し、前記マークした移動体を検出して、前記移動体から移動画像データを作成する例である。
【００８１】
また、前記実施例は、画面表示内でタッチした位置を検出するタッチパネル表示手段を有し、印刷シーンの最後の１コマをタッチパネル表示手段に表示し、タッチパネル表示手段を介して、ユーザがタッチした移動体に基づいて移動画像データを作成する例である。
【００８２】
しかも、前記実施例は、前記移動体の移動画像データを作成する場合、動き始めの画像データと動き終わりの画像データとに基づいて、移動体の輪郭を抽出し、各輪郭を線で結ぶことによって、前記移動画像を作成する例である。
【００８３】
そして、前記実施例は、前記移動体の動き始めから動き終わりまでの間のコマのうちで、予め定めた数のコマだけ、前記印刷シーンの動画像データを抽出し、この抽出された各コマの移動体輪郭を線で結ぶことによって、前記移動画像データを作成する例である。
【００８４】
さらに、前記実施例は、前記移動体の動き始めから動き終わりまでの間のコマを画像処理に使う場合、各コマの移動距離に応じて、輪郭を結ぶ線の濃度を変化させることによって、前記移動画像データを作成する例である。
【００８５】
前記実施例は、動画像データから印刷シーンを選択する場合、動画像データを前記タッチパネル表示手段に再生し、前記印刷シーンを選ぶ例である。
【００８６】
前記実施例は、前記画像処理において作成した前記静止画像データは、前記タッチパネル表示手段に表示し、確認した後に、印刷する例である。
【図面の簡単な説明】
【００８７】
【図１】本発明の実施例１である画像処理装置１００の主要部の構成を示すブロック図である。
【図２】画像処理装置１００における制御システムの一連の動作を示すフローチャートである。
【図３】本発明の実施例２である画像処理装置における制御システムの一連の動作を示すフローチャートである。
【図４】実施例２において、動画像データを静止画像データに変換する過程を具体的に示す図である。
【図５】実施例２において、動画像データが静止画像データに変換される過程で、印刷シーンを、ある一定間隔で抽出し、この抽出された印刷シーンのそれぞれに、移動画像処理を実行する具体例の説明図である。
【符号の説明】
【００８８】
１００…画像処理装置、
１…読取手段、
２…画像処理手段、
３…印字データ処理手段、
４…印字手段、
５…ＰＣインタフェース手段、
６…ホストコンピュータ、
７…パネル制御手段、
８…パネル手段、
９…表示手段、
１０、１２、１４…Ｉ／Ｆ、
１１…デジタルビデオカメラ、
１３…デジタルカメラ、
１５…メモリカード、
１６…動画像再生手段、
１７…ＣＰＵ、
１８…ＲＡＭ制御手段、
１９…ＲＡＭ、
２０…ＲＯＭ。
【図１】
2008177993.tif 000003
【図２】
2008177993.tif 000004
【図３】
2008177993.tif 000005
【図４】
2008177993.tif 000006
【図５】
2008177993.tif 000007